(57)【要約】【課題】携帯端末に備えられたアプリケーションを利用者ができるだけ無駄な操作に煩わされることなく利用することのできる「車載機器」を提供することである。【解決手段】携帯端末にて実行可能なアプリケーションを特定するアプリ識別情報を表示部に一覧表示させるアプリ一覧表示制御手段（Ｓ１２）と、前記表示部に一覧表示されたアプリ識別情報から１つのアプリ識別情報が選択されたときに、選択された当該アプリ識別情報にて特定されるアプリケーションを当該携帯端末に起動させ、実行させる端末アプリ実行制御手段（Ｓ１４）と、アプリケーションが正常に実行されるか否かを判定するアプリ正常実行判定手段（Ｓ１５、Ｓ１８）と、アプリケーションが正常に実行されないと判定されたときに、当該アプリケーションを前記携帯端末に再起動させて、実行させる端末アプリ再実行制御手段（Ｓ１４）とを有する構成となる。【選択図】図２Ａ
2012151659.tif 000002
【特許請求の範囲】
【請求項１】
１または複数のアプリケーションを備えて各アプリケーションの実行可能な携帯端末が通信可能な状態で接続される車載機器であって、
表示部と、
前記携帯端末との通信により、当該携帯端末にて実行可能なアプリケーションを特定するアプリ識別情報を前記表示部に一覧表示させるアプリ一覧表示制御手段と、
前記表示部に一覧表示されたアプリ識別情報から１つのアプリ識別情報が選択されたときに、前記携帯端末との通信により、選択された当該アプリ識別情報にて特定されるアプリケーションを当該携帯端末に起動させ、実行させる端末アプリ実行制御手段と、
アプリケーションが正常に実行されるか否かを判定するアプリ正常実行判定手段と、
該アプリ正常実行判定手段にてアプリケーションが正常に実行されないと判定されたときに、当該アプリケーションを前記携帯端末に再起動させて、実行させる端末アプリ再実行制御手段とを有する車載機器。
【請求項２】
前記アプリ正常実行判定手段は、アプリケーションが正常に起動したか否かを判定するアプリ正常起動判定手段（Ｓ１５）を有する請求項１記載の車載機器。
【請求項３】
前記アプリ正常実行判定手段は、アプリケーションが起動された後に正常に終了したか否かを判定するアプリ正常終了判定手段（Ｓ１６、Ｓ１７）を有する請求項１または２記載の車載機器。
【請求項４】
前記アプリ正常実行判定手段にてアプリケーションが正常に実行されなかったと判定されたときに、当該アプリケーションについての第１の警報情報を前記表示部に表示させる第１警報表示制御手段を有する請求項１乃至３のいずれかに記載の車載機器。
【請求項５】
各アプリケーションについての前記アプリケーション正常実行判定手段での判定結果に基づいて、各アプリケーションの正常動作がなされなかったことについての履歴情報を生成する履歴情報生成手段と、
前記履歴情報を記憶する記憶手段とを有する請求項１乃至４のいずれかに記載の車載機器。
【請求項６】
前記履歴情報生成手段は、各アプリケーションについて前記アプリケーション正常実行判定手段によって正常に動作しなかったと判定された回数を履歴情報として生成する請求項５記載の車載装置。
【請求項７】
前記記憶手段に記憶された各アプリケーションについての履歴情報で表される正常動作がなされたかったことの程度に応じて、前記表示部に表示されるアプリケーションを特定するアプリ識別情報の表示態様を変えるアプリ表示態様制御手段を有する請求項５または６記載の車載機器。
【請求項８】
前記アプリ表示態様制御手段は、前記記憶手段に記憶されたアプリケーションについての履歴情報で表される正常動作がなされたかったことの程度が所定程度を超えると、前記表示部に表示される当該アプリケーションを特定するアプリ識別情報の表示態様を変える請求項７記載の車載機器。
【請求項９】
前記記憶手段に記憶されたアプリケーションについての履歴情報で表される正常動作がなされたかったことの程度が所定程度を超えると、前記表示部に当該アプリケーションについての第２の警報情報を表示させる第２警報表示制御手段を有する請求項５乃至８のいずれかに記載の車載機器。
【請求項１０】
１または複数のアプリケーションを備えて各アプリケーションの実行可能な携帯端末が通信可能な状態で接続される車載機器であって、
表示部と、
前記携帯端末との通信により、当該携帯端末にて実行可能なアプリケーションを特定するアプリ識別情報を前記表示部に一覧表示させるアプリ一覧表示制御手段と、
前記表示部に一覧表示されたアプリ識別情報から１つのアプリ識別情報が選択されたときに、前記携帯端末との通信により、選択された当該アプリ識別情報にて特定されるアプリケーションを当該携帯端末に起動させ、実行させる端末アプリ実行制御手段と、
アプリケーションが正常に実行されるか否かを判定するアプリ正常実行判定手段と、
各アプリケーションについての前記アプリケーション正常実行判定手段での判定結果に基づいて、各アプリケーションの正常動作がなされなかったことについての履歴情報を生成する履歴情報生成手段とを有する車載機器。
【請求項１１】
前記履歴情報生成手段にて生成された履歴情報で表される各アプリケーションについての正常動作がなされたかったことの程度に応じて、前記表示部に表示されるアプリケーションを特定するアプリ識別情報の表示態様を変えるアプリ表示態様制御手段を有する請求項１０記載の車載機器。
【発明の詳細な説明】
【技術分野】
【０００１】
本発明は、スマートフォン等の携帯端末と有線または無線にて接続可能なＡＶ・ナビゲーション機器等の車載機器に関する。
【背景技術】
【０００２】
従来、インターネット等を経由してアプリケーションをダウンロードし、そのダウンロードされたアプリケーションを組み込んで利用することを可能とする携帯端末が提案されている（特許文献１参照）。このような携帯端末では、組み込んだ様々なアプリケーションをユーザが自在に利用することができる。
【先行技術文献】
【特許文献】
【０００３】
【特許文献１】特開２００４−３６４１３８号公報
【発明の概要】
【発明が解決しようとする課題】
【０００４】
ところで、前述したようにインターネット等を経由してダウンロードした様々なアプリケーションを備えた携帯端末を車載機器に接続し、車載機器にて携帯端末の様々なアプリケーションを利用することが考えられる。携帯端末にダウンロードしたアプリケーションには、当該携帯端末の動作環境での動作保証がされておらず実行中にリセットし易いアプリケーションも存在するが、そのようなアプリケーションを車載機器で利用すると、車載機器の機能に悪影響を及ぼすおそれがあるとともに、リセットされる毎に、乗員が再起動させなくてはならず、乗員にとってその操作が煩わしい。
【０００５】
本発明は、このような事情に鑑みてなされたもので、携帯端末に備えられたアプリケーションを利用者ができるだけ無駄な操作に煩わされることなく利用することのできる車載機器を提供するものである。
【課題を解決するための手段】
【０００６】
本発明に係る車載機器は、１または複数のアプリケーションを備えて各アプリケーションの実行可能な携帯端末が通信可能な状態で接続される車載機器であって、表示部と、前記携帯端末との通信により、当該携帯端末にて実行可能なアプリケーションを特定するアプリ識別情報を前記表示部に一覧表示させるアプリ一覧表示制御手段と、前記表示部に一覧表示されたアプリ識別情報から１つのアプリ識別情報が選択されたときに、前記携帯端末との通信により、選択された当該アプリ識別情報にて特定されるアプリケーションを当該携帯端末に起動させ、実行させる端末アプリ実行制御手段と、アプリケーションが正常に実行されるか否かを判定するアプリ正常実行判定手段と、該アプリ正常実行判定手段にてアプリケーションが正常に実行されないと判定されたときに、当該アプリケーションを前記携帯端末に再起動させて、実行させる端末アプリ再実行制御手段とを有する構成となる。
【０００７】
このような構成により、表示部に一覧表示される携帯端末にて実行可能なアプリケーションを特定するアプリ識別情報を選択することにより携帯端末にて起動させたアプリケーションが正常に実行されなかった場合に当該アプリケーションを携帯端末に再起動させるので、利用者による操作を要することなく、その正常に実行されなかったアプリケーションを再起動させることができる。
【０００８】
本発明に係る車載機器において、前記アプリ正常実行判定手段は、アプリケーションが正常に起動したか否かを判定するアプリ正常起動判定手段を有する構成とすることができる。
【０００９】
このような構成により、正常に起動しないアプリケーションを、利用者による操作を要することなく、携帯端末に再起動させることができる。
【００１０】
また、本発明に係る車載機器において、前記アプリ正常実行判定手段は、アプリケーションが起動された後に正常に終了したか否かを判定するアプリ正常終了判定手段を有する構成とすることができる。
【００１１】
このような構成により、起動した後に正常に終了しないアプリケーションを、利用者による操作を要することなく携帯端末に再起動させることができる。
【００１２】
また、本発明に係る車載機器において、前記アプリ正常実行判定手段にてアプリケーションが正常に実行されなかったと判定されたときに、当該アプリケーションについての第１の警報情報を前記表示部に表示させる第１警報表示制御手段を有する構成とすることができる。
【００１３】
このような構成により、表示部に正常に実行されなかったアプリケーションについての第１の警報情報が表示されるので、利用者は、その第１の警報情報によって、その正常に実行されなかったアプリケーションを認識することができる。
【００１４】
また、本発明に係る車載機器において、各アプリケーションについての前記アプリケーション正常実行判定手段での判定結果に基づいて、各アプリケーションの正常動作がなされなかったことについての履歴情報を生成する履歴情報生成手段と、前記履歴情報を記憶する記憶手段とを有する構成とすることができる。
【００１５】
このような構成により、携帯端末にて実行可能な各アプリケーションの正常動作がなされなかったことについての履歴情報が記憶手段に保存されるので、その履歴情報を、各アプリケーションの適否を判断するために利用することができるようになる。
【００１６】
更に、本発明に係る車載機器において、前記履歴情報生成手段は、各アプリケーションについて前記アプリケーション正常実行判定手段によって正常に動作しなかったと判定された回数を履歴情報として生成する構成とすることができる。
【００１７】
このような構成により、正常に動作しなかったと判定された回数を、各アプリケーションの適否を判断するために利用することができるようになる。
【００１８】
また、本発明に係る車載機器において、前記記憶手段に記憶された各アプリケーションについての履歴情報で表される正常動作がなされたかったことの程度に応じて、前記表示部に表示されるアプリケーションを特定するアプリ識別情報の表示態様を変えるアプリ表示態様制御手段を有する構成とすることができる。
【００１９】
このような構成により、正常動作がなされなかった程度に応じて表示部に表示される携帯端末にて実行可能な各アプリケーションを特定するアプリ識別情報の表示態様が異なるようになるので、利用者は、表示部に表示されるアプリ識別情報の表示態様に基づいて、そのアプリ識別情報にて特定されるアプリケーションの適否を容易に判断することができる。
【００２０】
アプリケーションの前記正常動作がなされなかった程度は、アプリケーションが正常に動作しなかったことの回数、頻度等、その正常に動作しなかったことを量的に表し得るものであればよい。
【００２１】
更に、本発明に係る車載機器において、前記アプリ表示態様制御手段は、前記記憶手段に記憶されたアプリケーションについての履歴情報で表される正常動作がなされたかったことの程度が所定程度を超えると、前記表示部に表示される当該アプリケーションを特定するアプリ識別情報の表示態様を変える構成とすることができる。
【００２２】
このような構成により、アプリケーションの正常動作がなされなかった程度が所定程度を超えたときにそのアプリケーションを特定するアプリ識別情報の表示態様が変えられるので、利用者は、表示部に表示されるアプリ識別情報の表示態様に基づいて、そのアプリ識別情報にて特定されるアプリケーションが所定程度を超えるほど正常動作されないことが発生するものであるか否かを判断することができる。
【００２３】
また、本発明に係る車載機器において、前記記憶手段に記憶されたアプリケーションについての履歴情報で表される正常動作がなされたかったことの程度が所定程度を超えると、前記表示部に当該アプリケーションについての第２の警報情報を表示させる第２警報表示制御手段を有する構成とすることができる。
【００２４】
このような構成により、表示部に正常動作がなされなかった程度が所定程度を超えたアプリケーションについての第２の警報情報が表示されるので、利用者は、その第２の警報情報の有無によって各アプリケーションが所定程度を超えるほど正常動作されないことが発生するものであるか否かを判断することができる。
【００２５】
本発明に係る車載機器は、１または複数のアプリケーションを備えて各アプリケーションの実行可能な携帯端末が通信可能な状態で接続される車載機器であって、表示部と、前記携帯端末との通信により、当該携帯端末にて実行可能なアプリケーションを特定するアプリ識別情報を前記表示部に一覧表示させるアプリ一覧表示制御手段と、前記表示部に一覧表示されたアプリ識別情報から１つのアプリ識別情報が選択されたときに、前記携帯端末との通信により、選択された当該アプリ識別情報にて特定されるアプリケーションを当該携帯端末に起動させ、実行させる端末アプリ実行制御手段と、アプリケーションが正常に実行されるか否かを判定するアプリ正常実行判定手段と、各アプリケーションについての前記アプリケーション正常実行判定手段での判定結果に基づいて、各アプリケーションの正常動作がなされなかったことについての履歴情報を生成する履歴情報生成手段とを有する構成となる。
【００２６】
このような構成により、表示部に一覧表示される携帯端末にて実行可能なアプリケーションを特定するアプリ識別情報を選択することにより携帯端末にて起動させたアプリケーションが正常に動作しなかったことについての履歴情報が生成されるので、その履歴情報を、各アプリケーションの適否を判断するために利用することができるようになる。
【００２７】
本発明に係る車載機器において、前記履歴情報生成手段にて生成された履歴情報で表される各アプリケーションについての正常動作がなされたかったことの程度に応じて、前記表示部に表示されるアプリケーションを特定するアプリ識別情報の表示態様を変えるアプリ表示態様制御手段を有する構成とすることができる。
【００２８】
このような構成により、正常動作がなされなかった程度に応じて表示部に表示される携帯端末にて実行可能な各アプリケーションを特定するアプリ識別情報の表示態様が異なるようになるので、利用者は、表示部に表示されるアプリ識別情報の表示態様に基づいて、そのアプリ識別情報にて特定されるアプリケーションの適否を容易に判断することができる。
【発明の効果】
【００２９】
本発明に係る車載機器によれば、このような構成により、携帯端末にてアプリケーションが正常に実行されなかった場合に、利用者による操作を要することなく、その正常に動作しなかったアプリケーションを再起動させることができるので、携帯端末に備えられたアプリケーションを利用者ができるだけ無駄な操作に煩わされることなく車載機器において利用することのできるようになる。
【００３０】
また、携帯端末にて起動されたアプリケーションが正常に動作しなかったことについての履歴情報を、各アプリケーションの適否を判断するために利用することができるようになるので、正常動作し難いアプリケーションを何度も選択してしまう等の無駄な操作に煩わせることなく、携帯端末に備えられたアプリケーションを車載機器において利用することができるようになる。
【図面の簡単な説明】
【００３１】
【図１】本発明の実施の形態に係る車載機器及び携帯端末を示すブロック図である。
【図２Ａ】図１に示す車載機器の処理ユニットによる処理の手順を示すフローチャート（その１）である。
【図２Ｂ】図１に示す車載機器の処理ユニットによる処理の手順を示すフローチャート（その２）である。
【図３】スマートフォンが接続された車載機器の表示部に表示されるホーム画面の一例を示す図である。
【図４】各アプリケーションが正常に動作しなかったことの履歴情報を表すエラー履歴テーブルを示す図である。
【図５】アプリケーションにエラーが発生した際に表示される警告画面の表示例（その１）を示す図である。
【図６】アプリケーションにエラーが発生した際に表示される警告画面の表示例（その２）を示す図である。
【図７】選択されたアプリケーションがエラーの発生し易い状態であることを警告する際に表示される警告画面の表示例（その１）を示す図である。
【図８】選択されたアプリケーションがエラーの発生し易い状態であることを警告する際に表示される警告画面の表示例（その２）を示す図である。
【図９】エラーが発生し易いアプリケーションの表示態様を異ならせて表示する際の画面表示例（その１）を示す図である。
【図１０】エラーが発生し易いアプリケーションの表示態様を異ならせて表示する際の画面表示例（その２）を示す図である。
【発明を実施するための形態】
【００３２】
以下、本発明の実施の形態について図面を用いて説明する。
【００３３】
本発明の実施の一形態に係る車載機器は、図１に示すように構成される。
【００３４】
図１において、車載機器１００は外部機器接続用のコネクタ１９を有し、コネクタ１９にはケーブルによってスマートフォン２０（携帯端末）が接続可能になっている。車載機器１００は、コンピュータユニット（ＣＰＵを含む）にて構成される処理ユニット１１を有しており、処理ユニット１１には、ＣＤやＤＶＤ等のディスク媒体から音楽や映像を再生するＡＶユニット１７及び車両ナビゲーションに係る処理を行うナビゲーションユニット１８が接続されている。更に、処理ユニット１１には、ＡＶユニット１７にて利用される情報やその他各種情報を記憶するための記憶部１４（例えば、ハードディスク）、車室内に設けられ、ＬＣＤ等により構成される表示部１３、操作ボタンや表示部１３内に構成されるタッチパネル等からなる操作部１２、及び車室内に設けられたスピーカ１６に音声信号を供給する出力回路１５が接続されている。
【００３５】
スマートフォン２０がケーブルにて接続されるコネクタ１９は、処理ユニット１１に接続され、処理ユニット１１は、ケーブル及びコネクタ１９を介してスマートフォン２０と通信可能となっている。スマートフォン２０は、ナビゲーションアプリケーション、情報検索アプリケーション、ゲーム等の複数のアプリケーションを備えており、スマートフォン１９独自にて各アプリケーションの実行が可能となるとともに、処理ユニット１１の制御のもと、各アプリケーションの実行が可能となる。
【００３６】
複数のアプリケーションを備えたスマートフォン２０と通信可能に接続される車載機器１００の処理ユニット１１は、図２Ａ及び図２Ｂに示す手順に従って処理を行う。
【００３７】
図２Ａにおいて、処理ユニット１１は、スマートフォン２０との接続を確認すると（Ｓ１１）、スマートフォン２０と通信を行って、スマートフォンに備えられたアプリケーションに関する情報を取得し、実行可能なアプリケーションを特定する情報（例えば、アイコン）の一覧を例えば図３に示すようなホーム画面として表示部１３に表示させる（Ｓ１２：アプリケーション一覧表示制御手段）。その後、処理ユニット１１は、表示部１３のホーム画面において操作部１２によるアプリケーションの選択操作（例えば、図３に示すホーム画面におけるアイコンの指定操作）がなされたか否かを監視する（Ｓ１３）。
【００３８】
この状態で、アプリケーションＡｐｉの選択操作がなされると（Ｓ１３でＹＥＳ）、処理ユニット１１は、その選択されたアプリケーションＡｐｉをスマートフォン２０において起動させ（Ｓ１４：端末アプリ実行制御手段）、スマートフォン２０との通信によりそのアプリケーションＡｐｉが正常に起動した否かを判定する（Ｓ１５：アプリ正常起動判定手段（アプリ正常実行判定手段））。そのアプリケーションＡｐｉが正常に起動して実行される場合（Ｓ１５でＹＥＳ）、処理ユニット１１は、そのアプリケーションＡｐｉの実行により生じる情報をスマートフォン２０から取得し、その取得した情報（アプリケーションＡｐｉの実行により生じた情報）の加工、表示等の処理を行う（Ｓ１６）。これにより、車載機器１００では、スマートフォン２０におけるアプリケーションＡｐｉの実行に基づいた情報出力、例えば、ナビゲーションアプリケーション（Ａｐｉ）の実行に基づいた車両ナビゲーションに係る情報出力（画面表示、音声出力等）がなされる。
【００３９】
処理ユニット１１は、前述したスマートフォン２０におけるアプリケーションＡｐｉの実行に基づいた処理（Ｓ１６）を、スマートフォン２０との通信により当該アプリケーションＡｐｉがリセットされたか否かを判定しつつ（Ｓ１７）行っている。その過程で、処理ユニット１１は、そのアプリケーションＡｐｉがリセットされたと判定すると（Ｓ１７でＹＥＳ）、更に、そのリセットが正常な終了であるか否かを判定する（Ｓ１８：アプリ正常終了判定手段（アプリ正常実行判定手段））。そして、正常な終了である場合（Ｓ１８でＹＥＳ）、処理ユニット１１は、再び、ホーム画面（図３参照）を表示部１３に表示させ（Ｓ１２）、そのホーム画面においてアプリケーションの選択操作がなされたか否かを監視する状態になる（Ｓ１３）。
【００４０】
前述したような一連の処理（Ｓ１１〜Ｓ１８）の過程で、起動させたアプリケーションＡｐｉが正常に起動しなかった（Ｓ１５でＮＯ）場合、または、起動したアプリケーションＡｐｉが正常に終了しなかった場合（Ｓ１８でＮＯ）、即ち、アプリケーションＡｐｉが正常に実行されなかった場合、処理は、図２ＢのステップＳ１９に移行する。
【００４１】
図２Ｂにおいて、処理ユニット１１は、その正常に起動しなかった、あるいは、正常に終了しなかったアプリケーションＡｐｉに対応するエラー回数ＮＥ（Ａｐｉ）を＋１インクリメントする（Ｓ１９：履歴情報生成手段）。各アプリケーションに対応するエラー回数ＮＥ（Ａｐｉ）は、アプリケーションが正常に動作しなかったことについての情報、更に正常に動作しなかったことの程度を表す情報であり、図４に示すようなエラー履歴情報テーブルとして記憶部１４に保存される。
【００４２】
そして、処理ユニット１１は、前記正常に起動しなかった、あるいは、正常に終了しなかったアプリケーションＡｐｉに対応するエラー回数ＮＥ（Ａｐｉ）が所定回数Ｎｔｈ以下であるか否かを判定する（Ｓ２０）。そのエラー回数ＮＥ（Ａｐｉ）が所定回数Ｎｔｈ以下である場合（Ｓ２０でＹＥＳ）、そのアプリケーションＡｐｉが正常に動作しなかったとして、処理ユニット１１は、図５または図６に示すように、表示部１３にそのアプリケーションＡｐｉにエラーが発生したこと及び再起動させることを表す警報メッセージ（第１の警報情報）を表示させる（Ｓ２１：第１警報表示制御手段）。そして、処理ユニット１１は、図２ＡのステップＳ１４に戻り、スマートフォン２０においてそのアプリケーションＡｐｉを起動させる（端末アプリ再実行制御手段）。処理ユニット１１は、以後同様の処理（Ｓ１５〜Ｓ１８）を行う。
【００４３】
更に、前記アプリケーションに対応するエラー回数ＮＥ（Ａｐｉ）が所定回数Ｎｔｈを超えると（Ｓ２０でＮＯ）、処理ユニット１１は、そのアプリケーションが所定回数Ｎｔｈを超えるほど正常動作されないものであるとして、図７または図８に示すように、表示部１３にそのアプリケーションＡｐｉを推奨しないことを表す警報メッセージ（第２の警報情報）を表示させる（Ｓ２２：第２警報表示制御手段）。そして、処理ユニット１１は、図２ＡのステップＳ１２に戻り、表示部１３に図３に示すようなホーム画面を表示させる。
【００４４】
このホーム画面を表示させる際に、処理ユニット１１は、図９に示すように、エラー回数ＮＥ（Ａｐｉ）が所定回数Ｎｔｈを超えたアプリケーションＡｐｉを特定するアイコンを消去し、または、図１０に示すように、そのアプリケーションＡＰｉを特定するアイコンに警報マーク（危）を重ね表示させる等、正常なアプリケーションを特定するアイコンと異なる表示態様にすることができる（アプリ表示態様制御手段）。
【００４５】
上述したような車載機器では、このような構成により、表示部１３に一覧表示されるスマートフォン２０にて実行可能なアプリケーションを特定するアイコンを選択することによりスマートフォン２０にて起動させたアプリケーションが正常に実行されなかった場合（正常に起動しなかった場合、正常に終了しなかった場合）に当該アプリケーションをスマートフォン２０に再起動させるので、利用者による操作を要することなく、その正常に実行されなかったアプリケーションを再起動させることができる。このため、スマートフォン２０に備えられたアプリケーションを利用者ができるだけ無駄な操作に煩わされることなく車載機器１００において利用することのできるようになる。
【００４６】
また、アプリケーションが正常に実行されなかった場合（正常に起動しなかった場合、正常に終了しなかった場合）、表示部１３にそのアプリケーションにエラーが発生したこと及び再起動させることを表す警報メッセージが表示されるので、利用者は、利用者は、その警報メッセージによって、その正常に実行されなかったアプリケーションを認識することができ、また、そのアプリケーションが自動的に再起動されることを知ることができる。
【００４７】
また、表示部１３にエラー回数ＮＥが所定回数Ｎｔｈを超えたアプリケーションについて推奨しないことを表す警報メッセージが表示されるので、利用者は、その警報メッセージによってアプリケーションが所定回数を超えるほどエラーが発生するものであることを判断することができる。それにより、そのアプリケーションを選択してしまうことを避けることができるようになる。
【００４８】
更に、このような構成により、エラー回数ＮＥに応じて、具体的には、そのエラー回数ＮＥが所定回数Ｎｔｈを超えたときに、表示部１３に表示されるホーム画面上のプリケーションを特定するアイコンの表示態様が異なるようになる（消去、警報マークの加算表示）ので、利用者は、そのホーム画面上でのアイコンの表示態様に基づいて、そのアイコンにて特定されるアプリケーションの適否、即ち、エラーとなる可能性が高いか否かを容易に判断することができる。
【００４９】
なお、車載機器１００に接続される携帯端末は、スマートフォン２０に限られず、情報処理機能を備えた携帯電話、ＰＤＡ（Personal Digital Assistant）、ハンディパソコン等であってもよい。また、スマートフォン２０等の携帯端末が、有線ではなく、無線にて車載機器１００に接続される構成とすることもできる。
【産業上の利用可能性】
【００５０】
本発明に係る車載機器は、携帯端末に備えられたアプリケーションを利用者ができるだけ無駄な操作に煩わされることなく利用することのできるという効果を有し、スマートフォン等の携帯端末と有線または無線にて接続可能なＡＶ・ナビゲーション機器等の車載機器として有用である。
【符号の説明】
【００５１】
１１  処理ユニット
１２  操作部
１３  表示部
１４  記憶部
１５  出力回路
１６  スピーカ
１７  ＡＶユニット
１８  ナビゲーションユニット
１９  コネクタ
２０  スマートフォン（携帯端末）
１００  車載機器
【図１】
2012151659.tif 000003
【図２Ａ】
2012151659.tif 000004
【図２Ｂ】
2012151659.tif 000005
【図３】
2012151659.tif 000006
【図４】
2012151659.tif 000007
【図５】
2012151659.tif 000008
【図６】
2012151659.tif 000009
【図７】
2012151659.tif 000010
【図８】
2012151659.tif 000011
【図９】
2012151659.tif 000012
【図１０】
2012151659.tif 000013